(57)【特許請求の範囲】
【請求項１】
針無注射器のバレルの放出端部に着けて使用するノズル組立体であって、該組立体は、バレルの放出端部に取付けるホルダと、該ホルダに取付ける使い捨てノズルとを備え、
ホルダは、
注射器バレルから使い捨てノズルに流体を通過可能にする中心の長手方向に延伸する通路を有する管状ホルダ本体と、
ホルダ本体の前方放出端部にある雄ネジを切ったホルダノズルと、
該雄ネジを切ったホルダノズルの後端部周りにあるホルダの筒状スリーブと、
該筒状スリーブの前方自由端にある少なくとも１つの第１切欠とを含み、
使い捨てノズルは、
該使い捨てノズルをホルダの前端部に取付けるための、雌ネジを切った管状のノズル本体と、
使い捨てノズルをホルダに取付ける際に、ホルダの筒状スリーブを受容するためのノズル本体の後端部にある、内壁及び外壁を有する環状凹部と、
使い捨てノズルをホルダに螺着する際に、前記凹部の前記内壁からホルダの筒状スリーブの移動経路へと、鋭角に外方に延伸する弾性の壊れ易い廻り止めを含み、
使い捨てノズルをホルダに螺着しながら一方向に回転させると、廻り止めが凹部の前記内壁の方へ偏向し、
使い捨てノズルをホルダに完全に装着すると、廻り止めが少なくとも１つの第１切欠に延入し、使い捨てノズルを逆回転させると廻り止めが破壊されるようになることを特徴とするノズル組立体。
【請求項２】
前記使い捨てノズル本体は、外面と、該外面の凹溝と、使い捨てノズルを容易に手動操作可能にするための前記溝と交互に長手方向に延伸する隆起部を含むことを特徴とする、請求項１に記載のノズル組立体。
【請求項３】
前記ホルダ本体から外方に延伸する環状フランジと、注射器バレルの雄ネジを切った放出端部に取付けるための雌ネジを切ったキャップと、前記ホルダを前記バレルに保持するための、前記キャップの外端部で内方に延伸する環状フランジを含むことを特徴とする、請求項１に記載のノズル組立体。
【請求項４】
環状凹部の内壁から廻り止めを分離した後に該廻り止めを受容するための、前記凹部の前記内壁で長手方向に延伸する溝を含むことを特徴とする、請求項１に記載のノズル組立体。
【請求項５】
前記ホルダの筒状スリーブの前端部に、径方向に対向する１対の第１切欠を含むことを特徴とする、請求項１に記載のノズル組立体。
【請求項６】
各第１切欠は、径方向に延伸する直線状の側面と、使い捨てノズルをホルダから取外し中に回転させる際に、容易に廻り止めを破壊可能にする刃縁部とを含むことを特徴とする、請求項５に記載のノズル組立体。
【請求項７】
注射器バレルの放出端部の係止片と結合して、注射器バレルに対するホルダの回転を防ぐための、ホルダ本体の前記環状フランジの後端部にある第２切欠を含むことを特徴とする、請求項６に記載のノズル組立体。
【発明の詳細な説明】
【技術分野】
【０００１】
本発明は、針無注射器用付属品に関する。
【背景技術】
【０００２】
一態様によると、本発明は、２００８年４月１５日に発行された本発明者による米国特許第７，３５７，７８１号で開示されたタイプの針無注射器で使用するための使い捨てノズルに関する。要約に記載されたように、特許された注射器は、注射可能液体を受容するバレルと、注射孔を収容する、バレルの片端部を密閉するノズルと、バレル内にプランジャとピストンの組合せ体を含む。弁により、ピストンの背後で加圧した気体がバレルに注入可能になる。引き金で該弁を開いて、ピストンをプランジャに対して移動させ、十分に加圧した気体による作用を受けてピストンとプランジャが延伸した放出位置へ移動してしまうまで、磁石によりピストンをバレルの休止位置に維持する。使い捨てノズルは、特許された注射器で使用するよう意図したものだが、同タイプの他の注射器、即ち、バレルの片端部にある弁とノズルを通して液体を放出するバレルとプランジャを含む注射器でも使用できる。
【０００３】
この特許された装置では、ノズルはバレルの出口端部に雌ネジを切ったキャップによって保持される。従って、ノズルを交換するのに、キャップを緩めて、ノズルを外し、新たなノズルをバレルに嵌めてキャップを交換する必要がある。
【発明の概要】
【０００４】
本発明によると、ノズルを、ノズルホルダで注射器に保持する使い捨てノズルとする。ノズルホルダは、バレルの放出端部に取付けられ、雌ネジを切ったキャップで所定位置に保持される。使い捨てノズルは、ホルダの外端部に取付けられ、注射を行なった後にノズルを回転させるだけで取外しできる。
【０００５】
特には、本発明は、針無注射器のバレルの放出端部に着けて使用するノズル組立体であって、該組立体は、バレルの放出端部に取付けるホルダと、該ホルダに取付ける使い捨てノズルとを備え、
ホルダは、
注射器バレルから使い捨てノズルに流体を通過可能にする中心の長手方向に延伸する通路を有する管状ホルダ本体と、ホルダ本体の前方放出端部にある雄ネジを切ったホルダノズルと、
該雄ネジを切ったホルダノズルの後端部周りにあるホルダ本体の筒状スリーブと、該スリーブの前方自由端にある少なくとも１つの第１切欠とを含み、
使い捨てノズルは、
該使い捨てノズルをホルダの前端部に取付けるための、雌ネジを切った管状のノズル本体と、
使い捨てノズルをホルダに取付ける際に、ホルダのスリーブを受容するためのノズル本体の後端部にある、内壁及び外壁を有する環状凹部と、
使い捨てノズルをホルダに螺着する際に、上記凹部の上記内壁からホルダスリーブの移動経路へと、鋭角に外方に延伸する弾性の壊れ易い廻り止めを含み、
使い捨てノズルをホルダに螺着しながら一方向に回転させると、廻り止めが凹部の前記内壁の方へ偏向し、
使い捨てノズルをホルダに完全に装着すると、廻り止めが少なくとも１つの第１切欠に延入し、使い捨てノズルを逆回転させると廻り止めが破壊されるようになるノズル組立体を提供する。
【０００６】
以下では、ノズル及びホルダについて、添付図を参照して更に詳細に説明する。
【図面の簡単な説明】
【０００７】
【図１】本発明によるノズルを取付けた状態の針無注射器の側面図である。
【図２】図１で示した放出端部を拡大した側面図である。
【図３】図１及び図２の注射器の放出端部の縦断面図で、ホルダとノズルを示している。
【図４】図１乃至図３の注射器の放出端部の分解側面図で、ホルダと使い捨てノズルを示している。
【図５】本発明のノズルに着けて使用するスペーサの端面図である。
【図６】本発明のノズルに着けて使用するスペーサの端面図である。
【図７】ホルダの等角図である。
【図８】組立てたホルダと使い捨てノズルの等角図である。
【図９】組立てたホルダとノズルの側面図である。
【図１０】図８及び図９のホルダとノズル縦断面図である。
【図１１】ノズルの等角図である。
【図１２】ノズルの正面図である。
【図１３】組立てたノズルとホルダの一部断面等角図である。
【図１４】組立てたノズルとホルダの一部断面正面図である。
【図１５】図１の注射器の放出端部と、ホルダと、ホルダ掃除用装置の分解図である。
【図１６】図１５の掃除用装置で使用する管の端面図である。
【図１７】図１５の掃除用装置で使用する管の端面図である。
【図１８】図１５の掃除用装置で使用するキャップの端面図である。
【図１９】図１５の掃除用装置で使用するキャップの端面図である。
【図２０】注射器に取付ける掃除用装置の分解側面図である。
【図２１】注射器に取付けた状態の掃除用装置の側面図である。
【図２２】薬瓶とシリンジを薬瓶に連結するアダプタの分解側面図である。
【図２３】図２２のシリンジとアダプタの一部断面側面図である。
【発明を実施するための形態】
【０００８】
図１乃至図４を参照すると、全体で参照番号１と示された本発明のノズル組立体で使用するホルダを、注射器バレル２の放出端部に取付け、全体で参照番号３と示されたノズルを、ホルダ１に着脱可能に連結している。ホルダ１を、注射器バレル２の雄ネジを切った前端部に、片端部で内側に突出した環状フランジを有する雌ネジを切った筒状キャップ４によって保持する。注射器２はピストル形をしており、本体５と共に、該本体から下方に延在するハンドル６を含む。本体１は、上下シリンダ７及び８を含み、該シリンダには夫々、米国特許第７，３５７，７８１号で示したように、注射器要素の大部分を収容する。シリンダ７で、バレル２の片端部を画定する。バレル２は、ピストン（図示せず）を搬送する通路９と、プランジャ１０とを収容する。プランジャ１０をバレル２内にＯリング１１によって密閉する。プランジャ１０が後方に移動すると、プランジャ前方の通路９内が部分的に真空状態になり、シリンジ１２から通路へと薬剤が引込まれる。シリンジ１２は従来のプラスチック製シリンジとし、該シリンジは、細径ノズル１５を通して液体を放出するために、その内部で摺動可能なプランジャ１４を有するバレル１３を含む。バレル１３の側面にある目盛１６で投与量を示す。シリンジを、薬バッグ又は薬瓶に置換えることもできる。液体が、ノズル１５からプラスチック製管１７と一方向弁１８を通してチャンバ９に放出される。弁１８は、米国特許第７，３５７，７８１号に詳述された一方向弁と同じものとする。図２で示したように、シリンジ１２の首部２０を、注射器バレル２と一体化した注入口２１に直接連結できる。
【０００９】
引き金２３を引くと、圧縮気体を使用して注射が行なわれる。引き金２３を、引き金ガード２５の内側で枢動可能にスリーブ２４に取付ける。圧縮気体はホース２６と連結具２７を介して注射器に入る。引き金を引くと、プランジャ１０が前方に移動して、米国特許第７，３５７，７８１号で記載された様式の弁２９と、ホルダ１と、ノズル３を介して通路から液体が放出される。浅く注射するには、略半球状のプラスチック製スペーサ３０（図４乃至図６）を、ノズル３の外端部３２に取付けて、注射部位に入る液体の力を弱めるようにする。スペーサ３０の先細スリーブ３３で、摩擦嵌合によりノズル３の端部３２を受容する。スペーサ３０で、ノズル３の放出端部と注射部位との間に空間を作る、即ち、スペーサをノズルに取付けた際に、スリーブ３３の外端部とノズル３の出口端部との間に、間隙を存在させる。
【００１０】
図３、図４、図７乃至図１０を参照すると、ホルダ１は、全長に亘り中心の長手方向に延在する通路３６を有する管状体３５を含む。ホルダ１をバレル２に摺入すると、管状体３５の中心付近で外方に延設する環状フランジ３７が、バレル２の端部に当接して、ホルダのバレル内への移動を制限する。バレル２の放出端部にある係止片３８が、フランジ３７の切欠部３９と結合して、バレル内でホルダを回転させないようにする。Ｏリング４１で、バレル２内でホルダ１を密閉する。弁２９を通過した流体は、径方向に対向する穴４２からホルダ１の通路３６に流入して、管状体３５の放出端部で円筒ノズル４５の先細外端部４４（図７及び図１０）の小穴４３を通り放出される。ネジ山４６をノズル４５の外端部付近に設ける。筒状スリーブ４８は、ノズル４５の内端部周りに外方に延伸する。径方向に対向する切欠５０（図７）を、スリーブ４８の外方自由端部に設ける。各切欠５０は、若干径方向に延伸した直線状の一側面５１と勾配を付けて刃状縁部５２を画成した一側面を含む。以下の説明から明らかになるように、刃状縁部５２を、縁部５１と同様な直線状縁部で置き換えることもできる。
【００１１】
使い捨てノズル３を、筒状後端部５６（図４及び図９乃至図１１）を有する細長管状体５５によって画成する。管状体５５は、筒状後端部５６から小径吐出端部５７にかけて前方に先細になっている。管状体５５の深い３凹溝５９と長手方向に延伸する隆起部６０を交互にすることで、ノズル３を容易に手動で操作できる。
【００１２】
管状体５５の後端部５６の環状凹部６２で、ホルダスリーブ４８を受容する。廻り止め又は係止片６３を、凹部６２の内壁６４から鋭角に外方に延伸させる。内壁６４で長手方向に延伸する溝６５により、廻り止め６３が完全に屈曲可能となる。ノズル３をホルダ１に（図１２及び図１４では、ノズルを時計回りに回転させて）螺着させると、廻り止め６３が切欠５０の１つに入る。ノズル３を半回転させる毎に、廻り止め６３は切欠５０の縁部５１と係合し、溝６５内へと屈曲する。図１４で最も良く示すように、ノズル３を完全にホルダ１に着けると、廻り止めが切欠５０の１つに延入する。ノズル３を、ホルダに被着してＯリング６６で密閉する。
【００１３】
従って、ホルダ１に使い捨てノズルを取付け中、廻り止め６３が繰り返し切欠５０に嵌入し、内方に偏向する。廻り止め６３が切欠５０の縁部５１と接触する結果、音、即ち、使い捨てノズル３が以前に使用されていないことを示す可聴信号が生じる。廻り止め６３が無ければ、使い捨てノズル３をホルダ１に取付けても、回転に対する抵抗や音が無く、使い捨てノズル３が既に使用されたことを示す。
【００１４】
ホルダ１から吐出した流体は、先細通路６７を通過して、狭隘な注射穴６８を通り放出される。ノズル本体５５の放出端部にある交互に径方向に延伸する隆起部と溝７０で、注射部位周りの領域を把持する。各注射を完了すると、ノズル３を、親指と人差し指の間で把持して、反時計回り方向に素早く回転させる。切欠５０の１つに延入した廻り止め６３は、刃状縁部５２と係合する。ノズル３を同方向に連続的に回転させることで、廻り止め６３がその薄い方の端部、即ちノズル３の残りの部分に付属する端部のところで破壊される。廻り止め６３は切欠５０内に留まり、ノズル３を取外すと、廻り止めは切欠５０の外に落下する。
【００１５】
別の態様によると、本発明は、上述したように、ホルダを掃除する装置に関する。図１５乃至図２１を参照すると、掃除装置は、注射器バレル２の放出端部に管を保持する管７２及びキャップ７３を含む。ノズルホルダ１を掃除するために、ホルダを注射器バレルから取外し、管７２を、弁２９に係合するのに十分な距離までバレル２に挿入する。管７２は、筒状体７５と、該筒状体の片端部７７（図１６）付近に、バレル２内で管を密閉するためのＯリング７６とを含む。管７２の端部７７にある径方向に延伸する溝７８により、バレル通路９からの流体を筒状体７５の中心通路８０に流入可能にする。中心通路８０は、筒状体７５のバレル端部７７に細径端部８１と、ホルダ１のノズル４５を受容する太径端部８２とを有する（図１５、図２０、図２１）。ホルダ１を管７２に挿入すると、ホルダの円錐端部４４が、通路８０の細径部分と太径部分との間にある円錐肩部８４と係合する。
【００１６】
ホルダ１と管７２が注射器バレル２内にある状態にして、キャップ７３をバレルに取着して、ホルダ１と管７２を所定の位置に維持する。かかる目的のために、キャップ７３を、管状体８６で画定し、該管状体の片端部８７に、注射器バレル２の雄ネジを切った放出端部を係合させるための雌ネジを切る。長手方向に延伸するリブ８８を、管状体８６の端部８７に備えて、容易にキャップ７３を手動で操作できるようにする。管状体８６の他端部９０にある環状の内側に延伸するフランジ８９は、ホルダ１の面取り肩部９２（図１５及び図２０）と係合する。
【００１７】
本発明の第３態様は、図２２及び図２３の９４で概して示した、シリンジ１２の雌ネジを切った首部２０を薬瓶９６のキャップ９５と連結させるためのアダプタとする。キャップ９５と薬瓶９６は従来のものとし、キャップ９５は、穿刺可能な膜９９をその中心に有する金属体９８を含む。アダプタ９４は、筒状スカート部１０１を含み、該スカート部には、スカート部を弾性係止片１０３に分割するために、略全長に亘り延在する長手方向に延伸する複数の切欠１０２を有する。各係止片１０３には、その下端部に、キャップ９５の底部と係合してアダプタを瓶とキャップに保持するための内側ビード又はフランジ１０５を有する。瓶のキャップ９５にアダプタを載置したなら、アダプタを下方に加圧して、係止片１０３を外側に屈曲させるようにすればよい。アダプタを上方に引くと、ビード１０５がキャップ９５下端部から解除される。雄ネジを切った首部１０６は、シリンジ１２の雌ネジを切った首部２０と結合するように、スカート部１０１の円形頂部１０７の中心から上方に延伸する。三角形の補強ガセット１０８は、首部１０６とキャップの頂部１０７との間に延伸する。通路１０９は、首部１０６と針１１１を通り下方に延伸し、そこから流体を瓶９６からシリンジ１２に吸入することができる。
【符号の説明】
【００１８】
１  ホルダ
２、１３  バレル
３  ノズル
４、７３、９５  キャップ
５  本体
６  ハンドル
７、８  シリンダ
９、３６、６７、１０９  通路
１０、１４  プランジャ
１１、４１、６６、７６  Ｏリング
１２  シリンジ
１５  小径ノズル
１６  目盛
１７  プラスチック製管
１８  一方向弁
２０、１０６  首部
２１  注入口
２３  引き金
２４  スリーブ
２５  引き金ガード
２６  ホース
２７  連結具
２９  弁
３０  スペーサ
３３  先細スリーブ
３５、５５、８６  管状体
３７  環状フランジ
３８、１０３  係止片
３９  切欠部
４２、４３  穴
４５  円筒ノズル
４８  筒状スリーブ
５０、１０２  切欠
５１  直線状側面
５２  刃状縁部
５９、６５、７０、７８  溝
６０  隆起部
６２  凹部
６３  廻り止め
６４  内壁
６８  注射穴
７２  管
７５  筒状体
８０  中心通路
８８  リブ
８９  フランジ
９２  肩部
９４  アダプタ
９６  薬瓶
９８  金属体
９９  膜
１０１  スカート部
１０５  ビード／フランジ
１０８  補強ガセット
【図１】
0005658746.tif 000002
【図２】
0005658746.tif 000003
【図３】
0005658746.tif 000004
【図４】
0005658746.tif 000005
【図５】
0005658746.tif 000006
【図６】
0005658746.tif 000007
【図７】
0005658746.tif 000008
【図８】
0005658746.tif 000009
【図９】
0005658746.tif 000010
【図１０】
0005658746.tif 000011
【図１１】
0005658746.tif 000012
【図１２】
0005658746.tif 000013
【図１３】
0005658746.tif 000014
【図１４】
0005658746.tif 000015
【図１５】
0005658746.tif 000016
【図１６】
0005658746.tif 000017
【図１７】
0005658746.tif 000018
【図１８】
0005658746.tif 000019
【図１９】
0005658746.tif 000020
【図２０】
0005658746.tif 000021
【図２１】
0005658746.tif 000022
【図２２】
0005658746.tif 000023
【図２３】
0005658746.tif 000024